(57)【要約】【課題】スイッチ式無線ネットワークのためのマルチポートインタフェースを提供する。【解決手段】方法及び装置。本方法は、複数の移動端末と通信するようになった１つ又はそれよりも多くの無線送信機から送信されたデータを無線コントローラを使用して受信する段階、この１つ又はそれよりも多くの無線送信機からの受信データの少なくとも一部分に関連する記述情報を受信する段階、及び受信データと関連の記述情報を無線コントローラに関連するポートインタフェースに供給する段階を含む。【選択図】図１
2007520921.tif 000002
【特許請求の範囲】
【請求項１】
複数の移動端末と通信するようになった１つ又はそれよりも多くの無線送信機から送信されたデータを無線コントローラを使用して受信する段階と、
前記１つ又はそれよりも多くの無線送信機からの前記受信データの少なくとも一部分に関連付けられた記述情報を受信する段階と、
前記受信データ及び前記関連付けられた記述情報を前記無線コントローラに関連付けられたポートインタフェースに供給する段階と、
を含むことを特徴とする方法。
【請求項２】
前記供給する動作は、前記記述情報を前記データと共にパケットにカプセル化して該カプセル化したパケットを前記ポートインタフェースに供給する段階を含むことを特徴とする請求項１に記載の方法。
【請求項３】
前記供給する動作は、前記データ及び前記関連付けられた記述情報を遠隔装置内の記憶装置の少なくとも１つに対する前記ポートインタフェースに供給して更に処理する段階を含むことを特徴とする請求項１に記載の方法。
【請求項４】
前記記述情報を受信する段階は、データと共にパケットにカプセル化された前記記述情報を受信する段階を含み、
前記記述情報は、前記データに関連付けられた少なくとも１つの高解像度のタイムスタンプと該データの前記送信に関連付けられたチャンネル情報とを含み、
前記チャンネル情報は、信号品質及び相対的な信号強度指数の少なくとも一方を含む、
ことを特徴とする請求項１に記載の方法。
【請求項５】
前記ポートを通して遠隔ユニットから要求を受信する段階と、該受信した要求に応答して、更に前記無線コントローラに少なくとも１つのタスクを実行させる段階とを更に含むことを特徴とする請求項１に記載の方法。
【請求項６】
前記無線送信機は、複数のアクセスポートを含み、
前記無線コントローラは、第１の通信チャンネル上で前記複数のアクセスポートの第１のアクセスポートと通信し、
前記要求の受信に応答して、前記無線コントローラは、前記第１のチャンネルとは異なるチャンネル上で前記第１のアクセスポートと通信する、
ことを特徴とする請求項５に記載の方法。
【請求項７】
無線スイッチであって、
インタフェースと、
前記インタフェースに通信的に結合したコントローラと、
を含み、
前記コントローラは、複数のアクセスポートから送信されて関連の記述情報を有するデータを受信し、該受信データ及び該関連の記述情報の少なくとも一部分を無線スイッチに関連付けられたポートインタフェースに供給するようになっている、
ことを特徴とする無線スイッチ。
【請求項８】
前記コントローラは、前記記述情報を前記データと共に前記ポートインタフェースに供給するようになっていることを特徴とする請求項７に記載の無線スイッチ。
【請求項９】
前記コントローラは、前記遠隔装置を使用して実質的にリアルタイムでモニタするために、前記データ及び前記関連の記述情報の少なくとも一部分を前記ポートインタフェースに供給するようになっていることを特徴とする請求項７に記載の無線スイッチ。
【請求項１０】
前記コントローラは、更に、前記ポートインタフェースを通じて遠隔ユニットから要求を受信するようになっており、
前記コントローラはまた、前記受信した要求に応答して無線スイッチに少なくとも１つのタスクを実行させるようになっている、
ことを特徴とする請求項７に記載の無線スイッチ。
【請求項１１】
前記コントローラは、遠隔装置から受信した指令に応答することを特徴とする請求項７に記載の無線スイッチ。
【請求項１２】
前記コントローラは、前記データ及び関連の記述情報を遠隔装置の記憶ユニットに記憶させるために前記ポートインタフェースに供給するようになっていることを特徴とする請求項７に記載の無線スイッチ。
【請求項１３】
前記記述情報は、前記データに関連付けられたタイムスタンプ及び該データの前記送信に関連付けられたチャンネル情報の少なくとも一方を含み、
前記チャンネル情報は、信号品質、使用するチャンネル番号、及び相対的な信号強度指数のうちの少なくとも１つを含む、
ことを特徴とする請求項７に記載の無線スイッチ。
【請求項１４】
複数の移動端末と、
無線スイッチと、
を含み、
前記無線スイッチは、前記複数の移動端末から送信されて関連の記述情報を有するデータを受信し、該受信データ及び該関連の記述情報の少なくとも一部分を該無線スイッチに関連付けられたポートインタフェースに供給するようになっている、
ことを特徴とするシステム。
【請求項１５】
前記移動端末から前記データを受信し、更に、前記無線スイッチに該データを送信するようになった少なくとも１つのアクセスポートを更に含むことを特徴とする請求項１４に記載のシステム。
【請求項１６】
前記無線スイッチは、前記データ及び該データに関連付けられた前記記述情報を受信するようになっていることを特徴とする請求項１５に記載のシステム。
【請求項１７】
前記無線スイッチは、前記データと前記関連の記述情報とを含むカプセル化されたパケットを供給することを特徴とする請求項１４に記載のシステム。
【請求項１８】
前記無線スイッチは、遠隔装置から指令を受信して、該受信指令に応答して少なくとも１つのタスクを実行するようになっていることを特徴とする請求項１４に記載のシステム。
【請求項１９】
前記記述情報は、前記データに関連付けられたタイムスタンプ及び該データの前記送信に関連付けられたチャンネル情報の少なくとも一方を含み、
前記チャンネル情報は、信号品質及び相対的な信号強度指数の少なくとも一方を含む、
ことを特徴とする請求項１４に記載のシステム。
【請求項２０】
前記ポートインタフェースを通じて前記無線スイッチと通信するようになった、無線探知器、性能モニタ、及び無線侵入検出サーバのうちの少なくとも１つである遠隔装置を更に含むことを特徴とする請求項１４に記載のシステム。
【請求項２１】
複数のアクセスポートから送信されて関連の記述情報を有するデータを無線コントローラを使用して受信するための手段と、
前記受信データ及び前記関連の記述情報の少なくとも一部分を前記無線コントローラに関連付けられたポートインタフェースに供給するための手段と、
を含むことを特徴とする器具。
【発明の詳細な説明】
【技術分野】
【０００１】
本発明は、一般的に、無線ネットワークに関し、より詳細には、スイッチ式無線ネットワークのためのマルチポートインタフェースに関する。
【背景技術】
【０００２】
「無線ローカルエリアネットワーク（ＷＬＡＮ）」は、有線ＬＡＮに取って代わるか又はそれを拡張して付加的な機能性を提供することができる柔軟なデータ通信システムである。従来の有線ローカルエリアネットワーク（ＬＡＮ）は、ケーブル又はワイヤにわたって１台の機器から別の機器にデータのパケットを送信する。無線ローカルエリアネットワーク（ＷＬＡＮ）は、代わりに無線波に頼ってデータを転送する。データは、変調と呼ばれる処理を通して無線波上に重畳され、この搬送波は、次に、ワイヤの代わりに伝送媒体として作用をする。
【０００３】
しかし、ＷＬＡＮ技術の重要性は、まさにワイヤがないこと以上に及んでいる。ＷＬＡＮ技術の出現は、ネットワークのインフラストラクチャーが何に成り得るかという全く新しい定義を切り開くものである。インフラストラクチャーは、もはや頑丈で固定され、移動が困難であり、変更に費用がかかるようなものである必要はない。代わりに、それは、ユーザと共に移動することができ、組織と同じくらい迅速に変わることができる。例えば、ビジネスマンは、会社の構内にわたって移動する時に接続したままにして有線ネットワークのリソースを利用することができる。
【０００４】
「無線ローカルエリアネットワーク」技術は、コンピュータ産業で最も成長が速い部門の１つとしてアナリストの対象にされている。ＷＬＡＮは、様々な垂直的及び水平的な用途（例えば、小売り、製造、物流、健康管理、教育、公共空間など）で使用される。米国電気電子学会（ＩＥＥＥ）によって承認された８０２．１１ｘ規格を含むいくつかの無線ネットワーク規格が普及している。例示的な「ＩＥＥＥ  ８０２．１１ｘ」規格は、８０２．１１、８０２．１１ａ、８０２．１１ｂ（Ｗｉ−Ｆｉとしても公知）、及び８０２．１１ｇを含む。
【０００５】
ＷＬＡＮは、１つ又はそれよりも多くのアクセスポートを使用して通信をサポートする集中無線スイッチの使用を含むいくつかの方法で構成することができる。無線スイッチの使用を通じて、ネットワークアクセス、セキュリティ、ポリシー管理、及び「サービスの質（ＱｏＳ）」の機能をスイッチレベルで統一することができる。また、ＷＬＡＮに無線スイッチを配備することにより、既存及び将来の無線技術をサポートするスイッチの拡張容易性と柔軟性のために、ネットワークのインフラストラクチャー全体のコストを低減することもできる。
【０００６】
しかし、スイッチ式ＷＬＡＮシステムのこれらの利点にも関わらず、ネットワーク管理者がこれらの無線ネットワークの性能をモニタし、又は無線トラヒックの異常を検出することを可能にする効率的な方法がこれらのシステムにはないという点で少なくとも１つの欠点が存在する。無線ネットワークをモニタする１つの方法は、到達範囲の区域にわたって無線センサを設置し、空中から無線トラヒックを傍受することである。しかし、この方法で捕捉されるトラヒックは、通常は暗号化された形態であり、従って容易には解読できない。別の方法は、無線スイッチに出入りする有線トラヒックをモニタすることである。しかし、データをモニタするこの機構は、トラヒックに関する望ましい無線情報を提供しない。
【０００７】
一部の有線ネットワークシステムは、例えばネットワークスイッチ内に実装されたミラーポートを含む場合がある。管理者は、ミラーポートを通して、ネットワークスイッチのいくつかの異なるポートの１つを出入りして流れるデータを観測することができる。一般的に、いずれかの与えられた時点で、ミラーポートは、管理者がいくつかのポートのうちのただ１つのポートをモニタすることを可能にする。別のポートをモニタするために、管理者は、次に切り換える前に、最初に現在のポートのモニタリングを停止するので、管理者がいずれかの与えられた時点で複数のポートをモニタすることを不便にしている。
【発明の開示】
【０００８】
本発明の一実施形態では、方法を提供する。この方法は、複数の移動端末と通信するようになった１つ又はそれよりも多くの無線送信機から送信されたデータを無線コントローラを使用して受信する段階、この１つ又はそれよりも多くの無線送信機からの受信データの少なくとも一部分に関連する記述情報を受信する段階、及び受信データと関連の記述情報を無線コントローラに関連するポートインタフェースに供給する段階を含む。
【０００９】
本発明の別の実施形態では、スイッチ式無線ネットワークで使用するためのマルチポートインタフェースを有する無線スイッチを提供する。無線スイッチは、インタフェースと、インタフェースに通信的に結合したコントローラとを含む。コントローラは、複数のアクセスポートから送信されて関連の記述情報を有するデータを受信し、受信データの少なくとも一部分及び関連の記述情報を無線スイッチに関連するポートインタフェースに供給するようになっている。
本発明の更に別の実施形態では、システムを提供する。このシステムは、複数の移動端末と無線スイッチを含む。無線スイッチは、複数の移動端末から送信されて関連の記述情報を有するデータを受信し、受信データの少なくとも一部分及び関連の記述情報を無線スイッチに関連するポートインタフェースに供給するようになっている。
【００１０】
本発明は、同じ参照番号が同じ要素を識別する添付図面と共に以下の説明を参照することによって理解することができる。
本発明は、様々な変更と代替形態を受け入れるが、その特定的な実施形態を例示的に図面に示して本明細書に詳細に説明する。しかし、特定的な実施形態の本明細書の説明は、本発明を開示した特定の形態に制限するものではなく、逆に本発明は、特許請求の範囲によって規定される本発明の精神及び範囲に含まれる全ての変更、均等物、及び代替手段を網羅するように意図していることを理解すべきである。
【発明を実施するための最良の形態】
【００１１】
本発明の例示的な実施形態を以下に説明する。明確にするために、実際の実施の全ての特徴を本明細書で説明はしない。あらゆるそのような実際の実施形態の開発において、実施毎に変わることになるシステム関連及びビジネス関連の制約に対する準拠のような開発者の特定の目標を達成するために、実施に特定の多くの決定が為されるべきであることは勿論認められるであろう。更に、そのような開発の努力は複雑で時間を費やす場合があるが、それにも関わらず本発明の開示の恩典を有する当業者にとって日常の仕事と考えられることが認められるであろう。
【００１２】
本明細書で使用される語及び語句は、当業者によるそれらの語及び語句の理解と矛盾しない意味を有するように理解されて解釈されるべきである。用語又は述語の本明細書での一貫した使用によって用語又は述語のいかなる特別な定義も、すなわち、当業者によって理解されるような普通の及び慣例的な意味と異なるいかなる定義も意味しないものとする。用語又は述語が特別な意味、すなわち、当業者によって理解される以外の意味を有するように意図される範囲では、そのような特別な定義は、その用語又は述語に対する特別な定義を直接的かつ明白に与える定義の方法で明細書に明示的に示されることになる。
【００１３】
ここで図１を参照すると、本発明の一実施形態によるスイッチ式無線通信システム１００が示されている。通信システム１００は、移動端末１０５がデータネットワーク１０８上で互いに又は他の装置と通信することを可能にする１つ又はそれよりも多くの構成要素を含む。移動端末１０５は、以下に限定されるものではないが、８０２．１１ａ規格、８０２．１１ｂ規格、及び８０２．１１ｇ規格のような「ＩＥＥＥ  ８０２．１１ｘ」規格によって定められたプロトコルを含むあらゆる適切な通信プロトコルを使用して他の装置と通信することができる。
【００１４】
図面を簡略化するために３つの移動端末１０５が描かれているが、代替的な実施形態では、システム１００がより多くの又はより少ない移動端末１０５を含むことができることを認めるべきである。移動端末１０５は、以下に限定されるものではないが、ラップトップコンピュータ、携帯電話、携帯情報端末（ＰＤＡ）、デジタルポケットベル、及び無線カードを含む様々な装置の形態を取ることができる。
データネットワークは、プライベートネットワーク又は「インターネット」のようなパブリックネットワークとすることができる。本明細書で使用される「ネットワーク」は、１つ又はそれよりも多くの通信ネットワーク、チャンネル、リンク、又は経路、及びそのようなネットワーク、チャンネル、リンク、又は経路上でデータを経路指定するのに使用されるシステム又は装置（ルータのような）を意味することができる。
【００１５】
通信システム１００は、ネットワーク・インフラストラクチャー１３０を通じて無線セルコントローラ（ＷＣＣ）１２０に通信的に結合した１つ又はそれよりも多くの無線アクセスポート１１０を含む。図示の実施形態の無線セルコントローラ１２０は、無線スイッチであり、その一例は、「Ｓｙｍｂｏｌ  Ｔｅｃｈｎｏｌｏｇｉｅｓ，  Ｉｎｃｏｒｐｏｒａｔｉｏｎ」（以後「Ｓｙｍｂｏｌ  Ｔｅｃｈｎｏｌｏｇｉｅｓ」と呼ぶ）によって提供されるモデル「ＷＳ５０００無線スイッチ」とすることができる。ＷＣＣ１２０は、「ＩＥＥＥ  ８０２．３」プロトコルを含む様々なプロトコルのいずれかを使用して、ネットワーク１０８に結合した装置と通信することができる。アクセスポート１１０の例は、「Ｓｙｍｂｏｌ  Ｔｅｃｈｎｏｌｏｇｉｅｓ」によって提供される「ＡＰ１００」又は「ＡＰ２００」モデルとすることができる。他の実施形態では、例えばアクセスポイントを含むあらゆる適切な種類の無線送受信機をアクセスポート１１０の代わりに（又は、それと共に）使用することができる。
【００１６】
図１に示す実施形態では、ネットワーク・インフラストラクチャー１３０は、「イーサネット」ハブ又はスイッチのようなネットワークハブか又はスイッチの形態とすることができる。ネットワーク・インフラストラクチャー１３０は、一実施形態では、１つ又はそれよりも多くのネットワークルータ（図示しない）を含むことができる。
本発明がそのように限定されるわけではないが、図示の実施形態では、ＷＣＣ１２０及び／又はアクセスポート１１０は、以下に限定されるものではないが、アソシエーション管理、「サービスの質」、ローミング、随時モード、許可、バッファ管理、及びインストール／設定、周期的冗長検査、チャンネルアクセス、タイムアウト／再送信、パケット確認通知、ヘッダ処理、速度制御、ビーコン処理、及び物理層に対するインタフェースを含む１つ又はそれよりも多くの「媒体アクセス制御（ＭＡＣ）」層機能を提供することができる。フラグメント化／再アセンブリ及び暗号化機能も実行することができる。
【００１７】
通信システム１００内のデータパケットの一般的な流れを次に説明する。上流方向では（すなわち、アクセスポート１１０からＷＣＣ１２０まで）、アクセスポート１１０は、移動端末１０５から（暗号化された）データパケットを受信し、受信したデータパケットをＷＣＣ１２０に転送する。一実施形態では、アクセスポート１１０はまた、データパケットに関連する記述情報をＷＣＣ１２０に供給し、この記述情報は、タイムスタンプ、相対的な信号強度指数、信号品質、及びチャンネル情報のような情報を含むことができる。一実施形態では、アクセスポート１１０は、カプセル化されたデータをＷＣＣ１２０に送信する前に、移動端末１０５からのデータと共に記述情報をカプセル化することができる。代替的な実施形態では、ＷＣＣ１２０は、アクセスポート１１０の代わりにカプセル化機能を実行することができる。アクセスポート１１０によって提供される記述情報の種類は、実施毎に異なる場合があり、従って、一部の実施形態では、付加的な、異なる、又はより少ない記述情報をデータパケットと共にカプセル化することができる。
【００１８】
送信されたデータ情報を受信すると、ＷＣＣ１２０は、あらゆる関連の記述情報と共に受信データをバッファに入れ、構文解析し、復号化し、更に、その意図した宛先（移動端末１０５又はネットワーク１０８に通信的に結合した装置とすることができる）にそれを配信する。反対方向では、ＷＣＣ１２０によって受信された移動端末１０５に送信するためのデータは、バッファに入れられ、フォーマット設定され、パケット内にカプセル化され、更に、ネットワーク・インフラストラクチャー１３０を通じてアクセスポート１１０に供給され、このアクセスポートは、カプセル化されたパケットから移動ユニットパケットを抽出し、抽出パケットを適切な移動端末１０５に転送する。
【００１９】
図１のＷＣＣ１２０は、それに関連するポートインタフェース１４０を含む。図１の通信システムは、図示の実施形態ではサーバ１５０であるプロセッサベースのシステム１５０を更に含む。以下でより詳細に説明するように、本発明の１つ又はそれよりも多くの実施形態によれば、ＷＣＣ１２０のポートインタフェース１４０は、通信システム１００の性能を解析するのに役に立つ可能性がある１つ又はそれよりも多くの機能を提供するために利用することができる。これらの機能は、以下に限定されるものではないが、無線侵入の検出（すなわち、無線トラヒック内の異常の検出）、無線通信システム１００の性能のモニタリング、及び／又は探知機能を含むことができる。一実施形態では、これらの機能は、ポートインタフェース１４０が関連付けられたＷＣＣ１２０によって実行することができる。代替的な実施形態では、これらの機能の１つ又はそれよりも多くは、サーバ１５０の方向で実行することができる。そのような実施形態では、ポートインタフェース１４０は、サーバ１５０がＷＣＣ１２０と通信して無線侵入検出のような上述の機能の一部を実行することができるように、指令インタフェースをサポートすることができる。無線侵入が検出された場合には、サーバ１５０は、指令インタフェースを通じて現在の通信チャンネルを変更するようにＷＣＣ１２０に命令することができる。
【００２０】
図１の通信システム１００の構成は、例示的な性質のものであり、通信システム１００の他の実施形態では、より少ない、付加的な、又は異なる構成要素を使用することができることを理解すべきである。例えば、図示の実施形態では、無線セルコントローラ１２０は、ネットワーク・インフラストラクチャー１３０を通じてアクセスポート１１０と通信するが、代替的な実施形態では、これらの構成要素は、介在するネットワーク・インフラストラクチャー１３０なしで互いに接続することができる。別の例として、一実施形態では、ポートインタフェース１４０は、無線セルコントローラ１２０内に統合することができる。代替的に、ポートインタフェース１４０の一部又は全ての部分は、無線セルコントローラ１２０と通信するようになった独立型装置に実装することができる。ポートインタフェース１４０が無線セルコントローラ１２０と関連付けられる方法は、設計の選択の問題であり、従って、実施毎に変わる場合がある。同様に、本発明の精神及び範囲から逸脱することなく、通信システム１００の図示の構成に対する別の変形を行うこともできる。
【００２１】
ここで図２を参照すると、本発明の一実施形態による図１の無線セルコントローラ１２０及び関連のポートインタフェース１４０のブロック図が示されている。図２に示す実施形態では、ポートインタフェース１４０は、ＷＣＣ１２０内に統合されている。
ＷＣＣ１２０は、制御ユニット２０５と制御ユニット２０５に通信的に結合した記憶ユニット２０８とを含む。制御ユニット２０５の例は、プロセッサとすることができる。ＷＣＣ１２０の図示の実施形態は、ネットワークインタフェース２２０を通じてアクセスポート１１０との間でデータを送受信するためのモジュール２１０を更に含む。アクセスポート１１０から受信したデータは、移動端末１０５によって送信されたデータパケット、並びにこれらのパケットに関連する記述情報（上述）を含むことができる。図示の実施形態では、ＷＣＣ１２０のネットワークインタフェース２２０は、ネットワーク・インフラストラクチャー１３０（図１に示す）に通信的に結合されている。代替的な実施形態では、介在するネットワーク・インフラストラクチャー１３０なしで、複数のポート（図示しない）を使用してＷＣＣ１２０をアクセスポート１１０に接続することができる。
【００２２】
ＷＣＣ１２０は、暗号化／復号化モジュール２２５を更に含む。モジュール２２５は、アクセスポート１１０から受信したデータの復号化して、アクセスポート１１０に送信されるデータを暗号化する。これは、無線セキュリティードメインを拡張し、アクセスポート１１０からＷＣＣ１２０への通信を保護するものである。本発明の開示の恩典を有する当業者は、所定の通信システムに使用される特定の暗号化及び復号化アルゴリズムが実施毎に異なる可能性があることを認めるであろう。
【００２３】
図示の実施形態では、サーバ１５０（図１を参照）は、ポートインタフェース１４０を通じてＷＣＣ１２０にアクセスし、以下に限定されるものではないが、無線通信システム１００の性能のモニタリング、送信及び受信したデータのマルチポート探知、及び／又は無線侵入の検出を含む様々な望ましい機能を実行することができる。サーバ１５０は、スイッチ製造業者以外の販売業者による複数のソフトウエア機能を可能にするオープンプラットフォームとすることができる。これらの機能の各々を以下に説明する。
【００２４】
モニタリング機能に関連して、ポートインタフェース１４０は、サーバ１５０に位置する管理者が、アクセスポート１１０を通じて移動端末１０５によってＷＣＣ１２０との間で送信されるデータパケット（例えば、図示の例の８０２．１１パケット）を表示して解析することを可能にするものである。ＷＣＣ１２０と共に（又は、その一部として）ポートインタフェース１４０を実装することは、アクセスポート１１０によって送信されたデータの実質的に全てがＷＣＣ１２０を通過し、従ってポートインタフェース１４０を通じて容易にモニタすることができるので有利であるとすることができる。本発明の一実施形態によれば、ＷＣＣ１２０は、複数のアクセスポート１１０がデータを送信する時に通過する集中スイッチであるから、どの時点でもこれらの複数のアクセスポート１１０によって送信されたデータをモニタすることが可能である。代替的に、必要に応じて、ＷＣＣ１２０の制御下の全てとは言えないアクセスポート１１０からのデータをモニタすることができる。
【００２５】
本発明の一実施形態では、ポートインタフェース１４０はまた、管理者がデータパケットに関連する記述情報を表示して解析することを可能にする。上述のように、記述情報は、タイムスタンプ、相対的な信号強度指数、信号品質、アクセスポート識別子、及び／又はアクセスポート１１０からのデータパケットの送信に関連するチャンネル情報を含むことができる。記述情報は、例えば、カプセル化された情報がポートインタフェース１４０を通じてサーバ１５０に供給される前に、８０２．１１データパケットによってカプセル化することができる。カプセル化された情報へのアクセスを有することは、無線通信システム１００の性能を評価するか又は通信の問題をトラブルシューティングすることを望む管理者に役立つ可能性がある。この理由は、データパケット（例えば、８０２．１１パケット）に関連する記述情報が、通信システム１００内の問題の領域を特定するための豊富な情報（例えば、データスタンプ、アクセスポート識別子、送信チャンネル特性）を管理者に提供するからである。一実施形態では、必要に応じて、カプセル化されたデータをポートインタフェース１４０を使用してサーバ１５０の記憶ユニット（図示しない）又は別の装置の記憶ユニットに「ダンプ」するか又は保存することができる。
【００２６】
そのように制限されてはいないが、一実施形態では、要素ＩＤ│長さ│データ│というカプセル化されたフォーマットを使用することができる。要素ＩＤのフィールドは、タイムスタンプ、ＲＳＳＩ、チャンネル番号、及び８０２．１１パケットなどのような情報を含むことができる。長さフィールドは、データフィールドに保存されたデータの長さを含むことができる。
上述のように、一実施形態では、ポートインタフェース１４０はまた、データ探知機能をサポートすることができる。ポートインタフェース１４０を通して、サーバ１５０は、例えば、移動端末１０５からＷＣＣ１２０に送信されるデータへのアクセスを得ることができる。ポートインタフェース１４０が、ＷＣＣ１２０と共に（又はその一部として）実装されるので、サーバ１５０は、復号化されたデータにアクセスするためにこのポートインタフェース１４０を利用することができる。逆に、典型的に有線ネットワークハブに実装される（ネットワーク・インフラストラクチャーのレベルで）従来のミラーポートは、復号化がＷＣＣ１２０によって実行されるために、復号化されたデータへのアクセスを有しない。
【００２７】
一実施形態では、ポートインタフェース１４０はまた、サーバ１５０とＷＣＣ１２０の間の双方向通信を可能にする指令命令モジュール２５０を含むことができる。モジュール２５０を通して、サーバ１５０は、１つ又はそれよりも多くの望ましいタスクを実行することができる。例えば、サーバ１５０は、現在の通信チャンネル上のサービス妨害攻撃の決定に応答して、別のアクセスポート１１０と通信するようにＷＣＣ１２０に命令することができる。別の例として、遠隔無線侵入検出装置として作用するサーバ１５０は、悪意のある移動端末１０５を切り離すか又は有害なパケットを落とすようにＷＣＣ１２０に通知することができる。
【００２８】
更に、サーバ１５０は、一実施形態では、複雑なスペクトル解析と、ＷＣＣ１２０を通じてアクセスポート１１０から受信した記述情報とを実行することができる。これによってサーバ１５０は、周波数チャンネルの割り当て（動的チャンネル割り当て）を最適に移動させるか又はアンテナパターンを変更して無線システム性能を改善するように、ＷＣＣ１２０とそれぞれのアクセスポート１１０とを再構成することができる。
【００２９】
一実施形態では、サーバ１５０は、ポートインタフェース１４０と、ＷＣＣ１２０によってサポートされた一組のサービスと、関連のアクセスポート１１０とを通じてＷＣＣ１２０と折衝する。これによって様々な程度の機能をホストする様々なクラスのサーバが相互接続され、ＷＣＣ１２０は、それ自体を動的に構成して必要なデータセットと記述情報をサーバ１５０に供給することができる。ＷＣＣ１２０とサーバ１５０からの通信は、ＸＭＬを使用して説明された共用公開規格にカプセル化することができ、また、ディスカバリー及び「ＵＤＤＩ（ユニバーサル・ディスクリプション、ディスカバリー、及びインテグレーション）」を説明することができる。
【００３０】
本発明の様々な実施形態の理解に役立つ図２のＷＣＣ１２０の選択された構成要素だけが示されていること、及び、代替的な実施形態では、ＷＣＣ１２０は、本発明の精神及び範囲から逸脱することなくより少ない、付加的な、又は異なる構成要素を含むことができることは認められるべきである。
要約すると、本発明の一実施形態によれば、ＷＣＣ１２０は、１つ又はそれよりも多くの有用な機能を提供する関連のポートインタフェース１４０を含む。例えば、一実施形態では、ポートインタフェース１４０は、ＷＣＣ１２０との間で受信及び／又は送信されるデータをモニタするために使用することができ、このデータは、実質的にリアルタイムでモニタすることができる。別の実施形態では、ポートインタフェース１４０は、データのダンプをサポートすることができる（すなわち、ユーザがＷＣＣ１２０内か又は外部装置に配置することができる記憶装置にモニタされたデータを保存することを可能にする）。更に別の実施形態では、ポートインタフェース１４０は、サーバ１５０から受信した指令に応答することができ、管理者が、望ましいタスクを実行するようにＷＣＣ１２０に指示することを可能にする。例えば、サーバ１５０は、サービスの改善のために別のものに対して利用されている現在の通信チャンネルを変更するようにＷＣＣ１２０に命令することができる。
【００３１】
特に断らない限り、又は説明から明らかなように、「処理する」又は「演算する」又は「計算する」又は「判断する」又は「表示する」などのような用語は、コンピュータシステムのレジスタ及びメモリ内の物理的な電子量として表されたデータを操作してコンピュータシステムのメモリ又はレジスタ又は他の同様の情報記憶装置、伝送装置、又は表示装置内の物理量として同様に表される他のデータに変換するコンピュータシステム及び同様の電子演算装置の作動及び処理を意味する。
【００３２】
当業者は、本明細書の様々な実施形態に示す様々なシステム層、ルーチン、又はモジュールは、実行可能な制御ユニット（制御ユニット２０５（図２参照）のような）とすることができることを認めるであろう。制御ユニット２０５は、マイクロプロセッサ、マイクロコントローラ、デジタル信号プロセッサ、プロセッサカード（１つ又はそれよりも多くのマイクロプロセッサ又はコントローラを含む）、又は他の制御又は演算装置を含むことができる。本発明の説明で言及された記憶装置２０８は、データと命令を記憶するための１つ又はそれよりも多くの機械可読記憶媒体を含むことができる。記憶媒体は、動的又は静的ランダムアクセスメモリ（ＤＲＡＭ又はＳＲＡＭ）、消去可能プログラマブル読取専用メモリ（ＥＰＲＯＭ）、電気的消去可能プログラマブル読取専用メモリ（ＥＥＰＲＯＭ）、及びフラッシュメモリのような半導体メモリ素子と、固定ディスク、フロッピーディスク、取外し可能ディスクのような磁気ディスクと、テープのような他の磁気媒体と、コンパクトディスク（ＣＤ）又はデジタルビデオディスク（ＤＶＤ）のような光媒体とを含む異なる形態のメモリを含むことができる。様々なシステムにおいて様々なソフトウエア層、ルーチン、又はモジュールを構成する命令は、それぞれの記憶装置に保存することができる。命令は、それぞれの制御ユニット２０５によって実行された時に、対応するシステムにプログラムされた動作を実行させる。
【００３３】
本発明は、本明細書の教示の恩典を有する当業者に明らかな異なるが同等の方法で修正して実施することができるので、上記で開示された特定的な実施形態は、単に例示的なものである。更に、特許請求の範囲で説明するもの以外に本明細書に示す構成又は意匠の詳細に対していかなる制限も意図していない。従って、上記で開示された特定的な実施形態は、変更又は修正することができ、全てのそのような変形は、本発明の精神及び範囲内と考えられることは明白である。従って、ここで求められている保護の対象は、特許請求の範囲に示すものである。
【図面の簡単な説明】
【００３４】
【図１】本発明の一実施形態により無線セルコントローラと、無線セルコントローラに関連するインタフェースと、複数のアクセスポートとを含む通信システムのブロック図である。
【図２】本発明の一実施形態による無線セルコントローラと関連のインタフェースのブロック図である。
【符号の説明】
【００３５】
１００  スイッチ式無線通信システム
１０５  移動端末
１０８  データネットワーク
【図１】
2007520921.tif 000003
【図２】
2007520921.tif 000004
【国際調査報告】
2007520921.tif 000005